(57)【要約】    【課題】  箒が嵌合した状態で家電の側面部、家具と壁の間隙、机の側部等に配置して手軽に使用できる箒付きチリトリの提供。    【解決手段】    溝状部Ｅ１を有する塵取柄部Ｅに塵取本体部Ｆが連続状に結合している。塵取本体部Ｆの掃込縁部Ｆ１の上側に、背面側へ窪んだ塵受部Ｆ２を有する。塵取柄部Ｅと塵取本体部Ｆの正面側は一定の垂直面に沿い、塵受部Ｆ２は上下方向中間部に最深部Ｆａを有し、掃込縁部Ｆ１の幅は塵取柄部Ｅの約３．５倍、最深部Ｆａの位置の正面−背面方向寸法は塵取柄部Ｅの約２．５倍、最深部Ｆａの背面の左右幅は塵取柄部Ｅの約０．８倍で最深部Ｆａの位置の塵受部Ｆ２の幅の約３分の１である。箒Ｊは、溝状部Ｅ１及び嵌合塵取本体部Ｆにそれぞれ箒柄部Ｋ及び箒Ｊ刷毛部Ｌ１が嵌合してチリトリＤに保持され、箒柄部Ｋ及び保持基部Ｌに設けられた永久磁石部Ｍで鉄系垂直面等に磁気吸着する。【選択図】      図９
2020036720.tif 000002
【特許請求の範囲】
【請求項１】
正面側に開口する上下方向の溝状部を下端から上方にわたり有する塵取柄部の下端部に塵取本体部の基部である上端部が結合してなるチリトリと、箒柄部の下端部に箒刷毛部の基部である上端部が結合し、永久磁石部を備えた箒を有してなり、
前記箒は、前記チリトリの溝状部に前記箒柄部が嵌合すると共に、前記チリトリの塵取本体部に前記箒刷毛部が嵌合し、正面側に前記永久磁石部が位置する状態で、前記チリトリに保持され得、
前記永久磁石部が磁気吸着可能な垂直状面等に磁気吸着することにより、前記箒及びその箒を保持するチリトリが前記垂直状面等に保持され得ることを特徴とする箒付きチリトリ。
【請求項２】
上記箒の箒柄部の側方に使用者の指を掛ける凹部を有し、
前記箒が、上記チリトリの溝状部に上記箒柄部が嵌合すると共に、上記チリトリの塵取本体部に上記箒刷毛部が嵌合し、正面側に上記永久磁石部が位置する状態で前記チリトリに保持され、前記永久磁石部が磁気吸着可能な垂直状面等に磁気吸着することにより、前記箒及びその箒を保持するチリトリが前記垂直状面等に保持された状態において、前記凹部に指を掛けて、前記箒を、その箒を保持するチリトリと共に前記垂直状面等から脱離させることができる請求項１記載の箒付きチリトリ。
【請求項３】
上記箒が、上記チリトリの溝状部に上記箒柄部が嵌合すると共に、上記チリトリの塵取本体部に上記箒刷毛部が嵌合し、正面側に上記永久磁石部が位置する状態で前記チリトリに保持された状態において、前記箒は、その正面側が一定の垂直面に沿い得るものである請求項１又は２記載の箒付きチリトリ。
【請求項４】
上記塵取本体部は、下端部に左右方向に沿って掃込縁部が形成され、その掃込縁部の上側に、正面側から背面側に向かって窪んだ塵受部が形成されてなり、
上記塵取柄部の溝状部の下端部と前記塵受部の上端部は正面側開口の溝状に連続しており、
前記塵受部は、上下方向の中間部に、正面側から背面側に向かって最も深い最深部を有し、
前記掃込縁部の左右幅は前記塵取柄部の左右幅の２倍以上であり、
前記最深部の背面の左右幅は、前記塵取柄部の左右幅の１．５倍以下であり、且つ、その最深部の上下方向位置における塵受部の正面側の左右幅の２分の１以下である請求項１乃至３の何れか１項に記載の箒付きチリトリ。
【請求項５】
塵受部の左右には、それぞれ、掃込縁部の左右側部、最深部左右側部及び塵取柄部の溝状部の下端の左右側部にわたる側壁部を有し、左右の側壁部は、正面側に向かって互いに拡開するものである請求項４記載の箒付きチリトリ。
【請求項６】
塵受部内の背面側は、最深部から下方の掃込縁部の上端に向かって正面側へ傾斜する傾斜下部と、最深部から上方の溝状部の下端に向かって正面側へ傾斜する傾斜上部を有する請求項４又は５記載の箒付きチリトリ。
【請求項７】
正面−背面方向の寸法において、塵受部の最深部の位置が塵取柄部の１．２乃至３．５倍である請求項４乃至６の何れか１項に記載の箒付きチリトリ。
【請求項８】
塵受部の最深部の背面の左右幅が塵取柄部の左右幅の１．２倍以下である請求項４乃至７の何れか１項に記載の箒付きチリトリ。
【発明の詳細な説明】
【技術分野】
【０００１】
本発明は、箒を嵌合した状態で保持し得る箒付きチリトリに関する。
【背景技術】
【０００２】
実開平６−３６４２７号公報には、棒１１の先端に、穂体１３の先端部１３ａを一直線状に揃えて扁平状に束ねたものをホルダ１４に保持させてなる払掃体１２を、柄棒１１の角度を一方向にのみ約２０度調節自在なるように取り付けることにより、清掃する時は箒と塵取りとを分離し、箒の柄棒を払掃体に対して傾斜させることにより掃き易く、収納時には、箒の柄棒を払掃体に対して垂直をなすように角度調節し、該箒に塵取りを取り付けることにより、払掃体を塵取り内に左右対称に納めることができる塵取り付き箒の発明が記載されている。
【０００３】
この塵取り付き箒においては、箒の柄棒を塵取りのグリップ部２２に、払掃体をごみ受部２１に、それぞれ嵌合させて塵取りに箒を取り付けることができ、収納等における省スペース化に寄与し得るが、家庭電化製品の側面部、家具と壁の間隙、机の側部等に手軽に配置して清掃に使用する上で、更なる改善が望まれる。
【先行技術文献】
【特許文献】
【０００４】
【特許文献１】実開平６−３６４２７号公報
【発明の概要】
【発明が解決しようとする課題】
【０００５】
本発明は、箒が嵌合した状態で家庭電化製品の側面部、家具と壁の間隙、机の側部等に配置して手軽に清掃に使用することができる箒付きチリトリを提供することを目的とする。
【課題を解決するための手段】
【０００６】
本発明の箒付きチリトリは、次のように表すことができる。
【０００７】
(1) 正面側に開口する上下方向の溝状部を下端から上方にわたり有する塵取柄部の下端部に塵取本体部の基部である上端部が結合してなるチリトリと、箒柄部の下端部に箒刷毛部の基部である上端部が結合し、永久磁石部を備えた箒を有してなり、
前記箒は、前記チリトリの溝状部に前記箒柄部が嵌合すると共に、前記チリトリの塵取本体部に前記箒刷毛部が嵌合し、正面側に前記永久磁石部が位置する状態で、前記チリトリに保持され得、
前記永久磁石部が磁気吸着可能な垂直状面等に磁気吸着することにより、前記箒及びその箒を保持するチリトリが前記垂直状面等に保持され得ることを特徴とする箒付きチリトリ。
【０００８】
チリトリに保持された箒の正面側に位置する永久磁石部が磁気吸着可能な垂直状面等に磁気吸着することにより、その箒及びその箒を保持するチリトリが垂直状面等に保持されるので、家庭電化製品の側面部、家具と壁の間隙、机の側部等の磁気吸着可能な部分に配置して手軽に清掃に使用することができる。
【０００９】
(2) 上記箒の箒柄部の側方に使用者の指を掛ける凹部を有し、
前記箒が、上記チリトリの溝状部に上記箒柄部が嵌合すると共に、上記チリトリの塵取本体部に上記箒刷毛部が嵌合し、正面側に上記永久磁石部が位置する状態で前記チリトリに保持され、前記永久磁石部が磁気吸着可能な垂直状面等に磁気吸着することにより、前記箒及びその箒を保持するチリトリが前記垂直状面等に保持された状態において、前記凹部に指を掛けて、前記箒を、その箒を保持するチリトリと共に前記垂直状面等から脱離させることができる上記(1)記載の箒付きチリトリ。
【００１０】
(3) 上記箒が、上記チリトリの溝状部に上記箒柄部が嵌合すると共に、上記チリトリの塵取本体部に上記箒刷毛部が嵌合し、正面側に上記永久磁石部が位置する状態で前記チリトリに保持された状態において、前記箒は、その正面側が一定の垂直面に沿い得るものである上記(1)又は(2)記載の箒付きチリトリ。
【００１１】
(4) 上記塵取本体部は、下端部に左右方向に沿って掃込縁部が形成され、その掃込縁部の上側に、正面側から背面側に向かって窪んだ塵受部が形成されてなり、
上記塵取柄部の溝状部の下端部と前記塵受部の上端部は正面側開口の溝状に連続しており、
前記塵受部は、上下方向の中間部に、正面側から背面側に向かって最も深い最深部を有し、
前記掃込縁部の左右幅は前記塵取柄部の左右幅の２倍以上であり、
前記最深部の背面の左右幅は、前記塵取柄部の左右幅の１．５倍以下であり、且つ、その最深部の上下方向位置における塵受部の正面側の左右幅の２分の１以下である上記(1)乃至(3)の何れか１項に記載の箒付きチリトリ。
【００１２】
掃込縁部の左右幅は塵取柄部の左右幅の２倍以上であるため、掃込縁部から塵受部への塵芥の掃き込みに適し、塵受部は、正面側から背面側に向かって窪んでおり、上下方向の中間部に、正面側から背面側に向かって最も深い最深部を有するので、掃込縁部から掃き込んだ相当量の塵芥を溜めるのに適する。
【００１３】
塵取柄部の溝状部の下端部と塵受部の上端部は正面側開口の溝状に連続しているため、箒の柄部が溝状部に、箒の刷毛部が塵受部に、それぞれ嵌合した状態としてコンパクト化し得る。
【００１４】
塵受部の上下方向の中間部に有する、正面側から背面側に向かって最も深い最深部の背面の左右幅は、塵取柄部の左右幅の１．５倍以下であり、且つ、その最深部の上下方向位置における塵受部の正面側の左右幅の２分の１以下であるため、家具同士や家具と壁の隙間部、或いはその他の箇所における家具や壁の垂直面等に正面側を沿わせて保持した場合に、塵取柄部から塵受部に至る正面側から背面側への膨出がコンパクトで、嵩張らず、人の動作や他の物の取り扱いを阻害することが生じにくい。
【００１５】
(5) 塵受部の左右には、それぞれ、掃込縁部の左右側部、最深部左右側部及び塵取柄部の溝状部の下端の左右側部にわたる側壁部を有し、左右の側壁部は、正面側に向かって互いに拡開するものである上記(4)記載の箒付きチリトリ。
【００１６】
(6) 塵受部内の背面側は、最深部から下方の掃込縁部の上端に向かって正面側へ傾斜する傾斜下部と、最深部から上方の溝状部の下端に向かって正面側へ傾斜する傾斜上部を有する上記(4)又は(5)記載の箒付きチリトリ。
【００１７】
(7) 正面−背面方向の寸法において、塵受部の最深部の位置が塵取柄部の１．２乃至３．５倍である上記(4)乃至(6)の何れか１項に記載の箒付きチリトリ。
【００１８】
(8) 塵受部の最深部の背面の左右幅が塵取柄部の左右幅の１．２倍以下である上記(4)乃至(7)の何れか１項に記載の箒付きチリトリ。
【発明の効果】
【００１９】
本発明の箒付きチリトリによれば、チリトリに保持された箒の正面側に位置する永久磁石部が磁気吸着可能な垂直状面等に磁気吸着することにより、その箒及びその箒を保持するチリトリが垂直状面等に保持されるので、家庭電化製品の側面部、家具と壁の間隙、机の側部等の磁気吸着可能な部分に配置して手軽に清掃に使用することができる。
【図面の簡単な説明】
【００２０】
【図１】チリトリの正面側斜視図である。
【図２】チリトリの背面側斜視図である。
【図３】チリトリの正面図である。
【図４】チリトリの側面図である。
【図５】チリトリの背面図である。
【図６】チリトリの平面図である。
【図７】箒の背面側斜視図である。
【図８】箒の側面図である。
【図９】箒を保持したチリトリの正面側斜視図である。
【図１０】箒を保持したチリトリの側面図である。
【発明を実施するための形態】
【００２１】
[1] 本発明の実施の形態を、図面を参照しつつ説明する。
【００２２】
図面は何れも本発明の箒付きチリトリの実施の形態の一例についてのものである。
【００２３】
この箒付きチリトリは、正面側に開口する上下方向の溝状部Ｅ１を下端から上方にわたり有する塵取柄部Ｅの下端部に塵取本体部Ｆの基部である上端部が結合してなるチリトリＤと、箒柄部Ｋの下端部に箒刷毛部Ｌ１の基部である上端部が結合し、永久磁石部Ｍを備えた箒Ｊを有してなる。
【００２４】
(1) チリトリＤは、塵取柄部Ｅの下端部に、塵取本体部Ｆの上端部（基部）が結合してなる。
【００２５】
(2) 塵取柄部Ｅは、正面側に開口する上下方向の溝状部Ｅ１を下端から上端の全長にわたり有してなり、上端は外部に開口し、下端は塵取本体部Ｆ内に開口する。
【００２６】
塵取柄部Ｅの断面形状は、下端部において下方に向かって漸次拡開するほぼ一定の略Ｕ字状をなし、溝状部Ｅ１の断面形状は、正面に開口し、両側及び溝底部が略Ｕ字状をなす。
【００２７】
溝状部Ｅ１は、箒Ｊの柄部を正面側から嵌合させて保持し得るように、保持対象の箒Ｊの箒柄部Ｋに対応する形状である。
【００２８】
溝状部Ｅ１の上方部及び下端部のそれぞれ左右両側に、保持対象の箒Ｊの箒柄部Ｋを保持するための内方に突起する保持用突起部Ｐを有する。
【００２９】
塵取柄部Ｅの上端部Ｅ２の正面側は、下方に向かって背面側から正面側に傾斜状に形成されている。
【００３０】
(3) 塵取本体部Ｆは、下端部に掃込縁部Ｆ１が形成され、その掃込縁部Ｆ１の上側に塵受部Ｆ２が形成されてなる。
【００３１】
(3-1) 掃込縁部Ｆ１は、床面等の清掃対象面上の塵芥を塵受部Ｆ２に掃き込む部分であり、塵取本体部Ｆの下端部に、左右直線方向に沿ってほぼ横長平板状に形成されている。
【００３２】
掃込縁部Ｆ１の左右幅ｍ−ｍは前記塵取柄部Ｅの左右幅ｎ−ｎの約３．５倍である。
【００３３】
掃込縁部Ｆ１の正面側の左右両側部には、それぞれ掃込壁状部Ｆ３が立設されている。
【００３４】
(3-2) 掃込縁部Ｆ１を経て掃き込む塵芥を溜める塵受部Ｆ２は、掃込縁部Ｆ１の上側において正面側から背面側に向かって窪んだ形状に形成され、塵受部Ｆ２の上端部は溝状をなし、塵取柄部Ｅの溝状部Ｅ１の下端部と正面側開口の溝状に連続している。
【００３５】
塵受部Ｆ２は、上下方向の中央よりもやや上方位置に、正面側から背面側に向かって最も深い最深部Ｆａを有する。最深部Ｆａの位置の正面−背面方向の寸法ｖ−ｖは塵取柄部Ｅの正面−背面方向の寸法ｗ−ｗの約２．５倍である。
【００３６】
最深部Ｆａは、左右方向中央部の一定の左右方向にわたる。最深部Ｆａの背面の左右幅ｘ−ｘは、塵取柄部Ｅの左右幅ｎ−ｎよりもやや狭く（塵取柄部Ｅの上部及び中間部の左右幅の０．８乃至０．９倍）、且つ、その最深部Ｆａの上下方向位置における塵受部Ｆ２の正面側の左右幅ｙ−ｙの約３分の１である。
【００３７】
塵受部Ｆ２の左右には、それぞれ、掃込縁部Ｆ１の左右の掃込壁状部Ｆ３、最深部Ｆａの左右側部及び溝状部Ｅ１の下端の左右側部にわたる側壁部Ｆ４を有する。左右の側壁部Ｆ４は、最深部Ｆａから正面側に向かって互いに左右に拡開する。塵受部Ｆ２内の水平断面形状は、背面側から正面側に向かって両脚が拡開する等脚台形状をなす。
【００３８】
また塵受部Ｆ２内の背面（底面）は、最深部Ｆａから下方の掃込縁部Ｆ１の上端に向かって正面側へ平面状に傾斜する傾斜下部Ｆｂと、最深部Ｆａから上方の溝状部Ｅ１の下端に向かって正面側へ正面側に凸の湾曲状に傾斜する傾斜上部Ｆｃからなる。
【００３９】
傾斜上部には、保持対象の箒Ｊの背面側の被支持凹部Ｕを背面側から支持するための支持用突部Ｓが設けられている。
【００４０】
(4) 塵取柄部Ｅと塵取本体部Ｆの正面側は、一定の垂直面に沿い得る。すなわち、塵取柄部Ｅと塵取本体部Ｆの正面側を垂直状に位置させれば、冷蔵庫の側面、垂直壁面、家具の側面等の垂直面に沿い得る。
【００４１】
(5) 箒Ｊは、正面側及び背面側が何れも垂直面に沿う形状をなし、正面側の箒柄部Ｋ及び保持基部Ｌの両方に、平板状の永久磁石部Ｍが設けられている。箒柄部Ｋの上端部の正面側には、上端から下方に向かって正面側に傾斜する切欠部Ｋ１（凹部）が形成されている。
【００４２】
チリトリＤの塵取柄部Ｅの溝状部Ｅ１に箒柄部Ｋが互いに平行状に嵌合すると共に、チリトリＤの塵取本体部Ｆに箒刷毛部Ｌ１を保持した保持基部Ｌが嵌合し、箒Ｊの正面側が塵取柄部Ｅと塵取本体部Ｆの正面側と平行な状態で、チリトリＤに保持され得る。
【００４３】
箒ＪがチリトリＤに保持された状態において、その箒Ｊは、正面側が一定の垂直面に沿い得るものであり、鉄系材料からなる冷蔵庫の側面、垂直壁面、家具の側面等の垂直面又は傾斜面等に対し、永久磁石部Ｍにおいて、正面側をそれらの面に向けて箒Ｊ（従って箒付きチリトリ全体）を磁気的に吸着させることができる。この状態で、箒柄部Ｋの上端部の正面側の切欠部において吸着対象から箒付きチリトリを容易に取り外すことができる。
【００４４】
[2] 本発明の実施の形態を、上記以外の形態を含めて更に説明する。
【００４５】
(1) 本発明の箒付きチリトリは、正面側に開口する上下方向の溝状部を下端から上方にわたり有する塵取柄部の下端部に塵取本体部の基部である上端部が結合してなるチリトリと、箒柄部の下端部に箒刷毛部の基部である上端部が結合し、永久磁石部を備えた箒を有してなる。
【００４６】
(2) チリトリの塵取柄部は、正面側に開口する上下方向の溝状部を下端から上方にわたり有してなる。
【００４７】
溝状部は、塵取柄部の全長にわたり、上端及び下端が開口するものとすることができるが、例えば、上端に至らないもの又は上端が開口しないもの等とすることもできる。
【００４８】
溝状部は、箒の柄部を正面側から嵌合させて保持し得るように、保持対象の箒の柄部に対応する形状とすることができる。一般的には、上下方向の直線に沿ったほぼ一定断面形状の溝状部とすることができる。
【００４９】
溝状部の断面形状は、例えば、正面に開口し、両側及び溝底部が略Ｕ字状を構成するものとすることができるがこれに限るものではない。
【００５０】
塵取柄部のうち溝状部を有する部分（溝状部が塵取柄部の全長にわたる場合は塵取柄部の全長）の断面形状は、略Ｕ字状をなすものとすることができるがこれに限るものではない。
【００５１】
溝状部の両側又は一方の側における上下方向複数位置には、保持対象の箒の柄部を保持するための内方に突起する保持用突起部を設けることができる。
【００５２】
(3) チリトリの塵取本体部は、下端部に掃込縁部が形成され、その掃込縁部の上側に塵受部が形成されてなるものとすることができる。
【００５３】
(3-1) 掃込縁部は、床面等の清掃対象面上の塵芥を塵受部に掃き込む部分であり、塵取本体部の下端部に、左右方向（一般的には左右直線方向）に沿って形成される。
【００５４】
掃込縁部の左右幅は前記塵取柄部の左右幅の２倍以上である。
【００５５】
掃込縁部は、ほぼ横長平板状をなすものとすることができるが、これに限るものではない。
【００５６】
掃込縁部の下端縁からその掃込縁部を経て掃き込む塵芥を左右に逃がすのを防ぐ上で、掃込縁部の正面側の左右両側部には、それぞれ掃込壁状部等の立上部が立設されたものとすることが好ましい。
【００５７】
(3-2) 塵受部は、掃込縁部を経て掃き込む塵芥を溜める部分であり、掃込縁部の上側において正面側から背面側に向かって窪んだ形状に形成されてなる。
【００５８】
溝状部の下端部と塵受部の上端部は正面側開口の溝状に連続しているものとすることができる。
【００５９】
塵受部は、上下方向の中間部（例えば、上から４分の１乃至４分の３の部分）に、正面側から背面側に向かって最も深い最深部を有するものとすることができる。最深部は、例えば、一定の左右方向にわたるものとすることができる他、一定の上下方向にわたるものとすることもできる。
【００６０】
正面−背面方向の寸法において、塵受部の最深部の位置は塵取柄部の例えば１．２乃至３．５倍とすることができる。正面側から背面側への膨出がコンパクトで、嵩張らず、人の動作や他の物の取り扱いを阻害することが生じにくいという点で、好ましくは１．５乃至３倍である。
【００６１】
塵受部の最深部の背面の左右幅は、塵取柄部の左右幅の１．５倍以下（好ましくは１．２倍以下、又は塵取柄部の左右幅と同等以下）であり、且つ、その最深部の上下方向位置における塵受部の正面側の左右幅の２分の１以下であるものとすることができる。
【００６２】
塵受部の左右には、それぞれ、掃込縁部の左右側部、最深部左右側部及び塵取柄部の溝状部の下端の左右側部にわたる側壁部を有するものとすることができる。左右の側壁部は、掃込縁部から掃き込んだ相当量の塵芥を溜める上で、正面側に向かって互いに拡開するものとすることができる。塵受部内の水平断面形状は、背面側から正面側に向かって両脚が拡開する台形状をなすものとすることができる。
【００６３】
また塵受部内の背面側（底面）は、最深部から下方の掃込縁部の上端に向かって正面側へ（例えば平面状に又は湾曲状に）傾斜する傾斜下部と、最深部から上方の溝状部の下端に向かって正面側へ（例えば平面状に又は湾曲状に）傾斜する傾斜上部を有するものとすることができる。
【００６４】
傾斜上部には、保持対象の箒の一部を背面側から支持するための支持用突部を設けることができる。
【００６５】
(4) 塵取柄部と塵取本体部の正面側は、一定の垂直面に沿い得るものとすることができる。すなわち、塵取柄部と塵取本体部の正面側を垂直状に位置させれば同一の垂直面に沿い得るものとすることができる。尤も、塵取柄部と塵取本体部の正面側の縁部にある程度の凹凸等を有していても差し支えない。
【００６６】
(5) 箒は、チリトリの溝状部に箒柄部が（例えば互いに平行状に）嵌合すると共に、チリトリの塵取本体部に箒刷毛部が嵌合し、正面側に永久磁石部が位置する状態で、前記チリトリに保持され得る。
【００６７】
永久磁石部（例えば平板状の永久磁石体）は、箒柄部及び保持基部の両方又は一方に設けることができる。
【００６８】
永久磁石部が磁気吸着可能な垂直状面等（例えば家庭電化製品の側面部、家具と壁の間隙の何れかの面、机の側部等における鉄系材料からなる垂直状面や傾斜状面等）に磁気吸着することにより、箒及びその箒を保持するチリトリが垂直状面等に保持され得る
【００６９】
(5-1) 箒は、例えば、正面側又は背面側が垂直面に沿う形状をなし、正面側及び背面側のうち垂直面に沿う形状をなす側の箒柄部及び保持基部の両方又は一方に、永久磁石部が設けられたもの（又は、正面側及び背面側が互いに平行状で垂直面に沿う形状をなし、正面側及び背面側の両方又は一方における箒柄部及び保持基部の両方又は一方に、得旧磁石部が設けられたもの）とすることができる。
【００７０】
この場合、チリトリの塵取柄部の溝状部に箒柄部が嵌合すると共に、チリトリの塵取本体部に箒刷毛部が嵌合し、（例えば、箒の正面側又は背面側が塵取柄部と塵取本体部の正面側と平行な状態で、且つ、）正面側に永久磁石部が位置する状態でチリトリに保持され得る。箒がチリトリに保持された状態において、その箒は、チリトリの正面側に対応する側が一定の垂直面に沿い得るものとすることができる。
【００７１】
この状態で、鉄系材料からなる冷蔵庫の側面、垂直壁面、家具の側面等の垂直面又は傾斜面等に対し、正面側をそれらの面に向けて箒（従って箒付きチリトリ全体）を永久磁石部において磁気的に吸着させることができる。
【００７２】
(5-2) 箒柄部の側方（例えば箒柄部の先端部における正面側等の側方）に使用者の指を掛ける凹部（例えば穴状部又は切欠部）を有するものとすることができる。
【００７３】
この場合、箒が、チリトリの溝状部に箒柄部が嵌合すると共に、チリトリの塵取本体部に箒刷毛部が嵌合し、正面側に永久磁石部が位置する状態でチリトリに保持され、永久磁石部が磁気吸着可能な垂直状面等に磁気吸着することにより、箒及びその箒を保持するチリトリが垂直状面等に保持された状態において、凹部に指を掛けて、箒を、その箒を保持するチリトリと共に垂直状面等から容易に脱離させることができる。
【００７４】
(5-3) 箒が、チリトリの溝状部に箒柄部が嵌合すると共に、チリトリの塵取本体部に箒刷毛部が嵌合し、正面側に永久磁石部が位置する状態でチリトリに保持された状態において、箒は、その正面側が一定の垂直面に沿い得るものとすることができる。
【符号の説明】
【００７５】
Ｄ      チリトリ
Ｅ      塵取柄部
Ｅ１    溝状部
Ｅ２    上端部
Ｆ      塵取本体部
Ｆ１    掃込縁部
Ｆ２    塵受部
Ｆ３    掃込壁状部
Ｆ４    側壁部
Ｆａ    最深部
Ｆｂ    傾斜下部
Ｆｃ    傾斜上部
Ｊ      箒
Ｋ      箒柄部
Ｋ１    切欠部
Ｌ      保持基部
Ｌ１    箒刷毛部
Ｍ      永久磁石部
Ｐ      保持用突起部
Ｓ      支持用突部
Ｕ      被支持凹部
【図１】
2020036720.tif 000003
【図２】
2020036720.tif 000004
【図３】
2020036720.tif 000005
【図４】
2020036720.tif 000006
【図５】
2020036720.tif 000007
【図６】
2020036720.tif 000008
【図７】
2020036720.tif 000009
【図８】
2020036720.tif 000010
【図９】
2020036720.tif 000011
【図１０】
2020036720.tif 000012